【事件の表示】
　特許第２７８４９０７号「カセット装着装置」の特許に対する特許異議の申立てについて、次のとおり決定する。
【結論】
　特許第２７８４９０７号の特許を維持する。
【理由】
Ｉ．手続の経緯
　本件特許第２７８４９０７号発明は、昭和６０年１１月１１日に出願された特願昭６０−２５２２３９号の一部を平成７年１１月１３日に新たに特許出願されたものであって、平成１０年５月２９日にその特許の設定登録がなされ、その後、渡部廣美より特許異議の申立がなされたものである。
ＩＩ．特許異議申立てについて
（１）本件特許発明の要旨
　本件特許発明の要旨は、その特許請求の範囲の欄に記載された以下のとおりのものである。
「カセット取出し釦を操作したときにテープをアンローディングし、次にカセットホルダーをカセットの装着位置より取出し位置に移動させるようにしたカセット装着装置において、
　本体に開閉自在に枢着され、閉状態において、前記カセットホルダーの前記取出し位置への移動を規制する部材を設け、
　前記部材が閉状態のときには前記カセット取出し釦を操作不能としたことを特徴とするカセット装着装置。」
（２）申立ての理由の概要
　特許異議申立人は、甲第１号証（特開昭６１−１９０７４８号公報（昭和６０年２月２０日出願特願昭６０−３０２２２号の公開公報））を提出し、本件特許発明は、その出願日前の他の出願であって、その出願後に出願公開された特許出願の出願当初の明細書又は図面（以下、先願明細書等という）に記載された発明と同一であって、しかも、本件特許発明の発明者が前記先願明細書等に記載された発明の発明者と同一であるとも、本件出願の時において、その出願人が上記他の出願の出願人と同一であるともいえないので、本件特許は、特許法第２９条の２の規定に違反してなされたものであるから、特許を取り消すべきである旨主張している。
（３）先願明細書等の記載
　先願明細書等には、「特に、携帯可能なポータブルタイプのフロントローディング方式ＶＴＲに関する」磁気記録再生装置に関する発明について、以下の記載がある。
・「携帯可能であって、前面パネル側に設けたカセット挿入口からテープカセットを挿入する磁気記録再生装置において、前記カセット挿入口と略同一面上に移動可能なスライド部材を設け、該スライド部材が前記カセット挿入口を開放する第１の位置で、カセットイジェクトスイッチをオン・オフ操作可能状態とし、該スライド部材が前記カセット挿入口を覆う第２の位置で、前記カセットイジェクトスイッチのオン動作を阻止するように構成したことを特徴とする磁気記録再生装置。」（特許請求の範囲の欄）
［発明の背景］の項に
・「第１０図及び第１１図は上記カセット装着装置のカセット装着動作を示す説明図であって、・・・
・・・途中略・・・
　これらの図において、両サイドブラケット９には、水平溝部と垂直溝部とからなる鈎形の案内溝９ａ、９ｂが設けられ、カセットホルダ５の側壁に設けられた案内ピン５ａ、５ｂがこれら案内溝９ａ、９ｂに嵌合することにより、カセットホルダ５は両サイドブラケット９間に移動可能に支持されている。」
・「カセット４をイジェクトする場合は、デッキ部２の前面パネルに設けたカセットイジェクトスイッチ１５（第８図参照）を閉じ、ローディングモータ１１を逆転する。ローディングモータ１１が逆転すると、駆動歯車１３は第１１図の状態から反時計回り方向に回転し、カセットホルダ５は上記とは逆の方向、すなわち、案内溝９ａ、９ｂの垂直溝部に続いて水平溝部に沿って移動する。・・・
・・・途中略・・・
　このとき、カセットホルダ５の案内ピン５ａ、５ｂは第１０図に示す位置にあり、この状態で、カセット４はその端部が手で掴むことができるようにカセット挿入口から突出している。」
［発明の実施例］の項に
・「デッキ部２の前面パネル２ａには、開閉自在なドア６によって塞がれたカセット挿入口やカセットイジェクトスイッチ１６および操作スイッチ２０等が設けられ、さらに、上下方向に移動可能なスライド板１８が設けられている。このスライド板１８は、第１図に示す下降位置ではカセット挿入口を露呈してカセットの挿入を可能にしているが、第４図に示す上昇位置ではカセット挿入口を閉塞し、その代わりに操作スイッチ２０を露呈する。」
・「第６図に示すように、スライド板１８が下降位置にあると、スイッチ２２が突起部１８ａによって押圧されてオン状態となり、かかる状態では、カセットイジェクトスイッチ１６のオン・オフ信号がスイッチ２２を介して所定のシステム制御回路へ伝達されるようになっている。即ち、外部からカセットイジェクトスイッチ６を操作すると、その信号によってローディングモータ（図示せず）が逆転し、カセットがイジェクトされる。
　一方、第７図に示すように、スライド板１８が上昇位置にあると、突起部１８ａがスイッチ２２から離反するため当該スイッチ２２はオフ状態となり、かかる状態では、カセットイジェクトスイッチ１６をオン操作したとしてもその信号はシステム制御回路へ伝達されず、カセットのイジェクト動作ができないようになっている。」
・「スライド板１８によってカセットイジェクトスイッチ１６を遮蔽または露呈可能とし、スライド板１８がカセット挿入口を閉塞する際にカセットイジェクトスイッチ１６をも覆うようにして、イジェクトの誤動作によるカセット装着装置の破損を防止することも可能である。」
（４）判断
　異議申立人は、前記主張の主たる根拠を、先願明細書等には、「デッキ部２の前面パネル２ａに開閉自在なドア６によって塞がれたカセット挿入口、イジェクトスイッチを設けた」点、「前記カセット挿入口には上下方向に移動可能なスライド板１８をもうけた１点、「スライド板１８の下降位置ではカセット挿入口を露呈してカセットの挿入を可能とし、上昇位置ではカセット挿入口を閉塞するようにした」点が開示されており、斯かる構成は、本件特許発明の特許請求範囲のうち、「本体に開閉自在に枢着され、閉状態において、前記カセットホルダーの前記取出し位置への移動を規制する部材を設け」という構成要件と構成に実質的な相違点がない、としているので、この点に着目して検討する。
　先願明細書等記載の発明（以下、先願発明という）において、本件特許発明の必須の構成要件であるカセットホルダーの移動規制のための「部材」に対応するものは、「スライド板１８」と考えられる。
　「スライド部材１８」は、カセット挿入口と略同一面上に、カセット挿入口を開放する位置、又は覆う位置の間の範囲を移動可能とされている。
　先願発明において、カセットホルダは、符号「５」で示され、ドア６の内側に設けられたものであり、カセット４が取出し可能な上部位置とカセット４を所定のローディング位置に保持する下部位置の間の範囲で、両サイドブラケットの案内溝９ａ、９ｂに案内されて移動するものである。
　「スライド板１８」の移動範囲とカセットホルダの移動範囲とは、空間的に交差する状態はあり得ないものである。
　又、「スライド板１８」とカセットホルダとの間で、「スライド板１８」に関連して、カセットホルダの移動を規制する他の部材が存在するとも認められない。
　とすると、「スライド板１８」は、カセットホルダ５の移動を規制するものとはいえず、本件特許発明が有するカセットホルダーの移動規制のための前記「部材」とは異なるものであり、したがって、前記異議申立人の主張の根拠は採用することはできない。
　結局、本件特許発明を先願明細書等に記載された発明と同一のものとすることはできない。
ＩＩＩ．むすび
　以上のとおりであるから、特許異議申立ての理由及び証拠によっては、本件特許を取り消すことはできない。
　又、他に本件特許を取り消すべき理由を発見しない。
　よって、結論のとおり決定する。
【異議決定日】
平成１１年６月１０日（１９９９．６．１０）